(57)【要約】【課題】装着が容易であり、装着感が良好であり、装着状態で使用者の身体の動きに支障をきたすことがなく、脱落が生じにくい男性用失禁パッドを提供する。【解決手段】失禁パッドＰは、表面シート１および裏面シート２が中央部１ｃ、２ｃで折返され、各長辺側縁辺部１ａ，２ａが接合されるので、中央折返し部８が底部となる収納部１０が形成される。伸縮性の有る糸状体４が身体側の部分を短辺方向に収縮させ、着衣側の部分を外側へ膨出するように湾曲させる。開口部１１および収納部１０が空隙を有する形態に保持されるので装着が容易である。身体側の部分に襞が形成されるから、装着感が快適である。糸状体によって幅方向寸法が小さくなり、身体側部分が伸縮性を有するので、使用者の運動を支障せず、脱落が生じにくい。【選択図】  図６
2015062576.tif 000002
【特許請求の範囲】
【請求項１】
液不透過性および通気性を有するシート材から成る矩形の表面シートと、
液透過性および通気性を有するシート材から成る矩形の裏面シートであって、前記表面シートに積重された状態で、縁辺部が前記表面シートの縁辺部に接合される裏面シートと、
フラッフ状繊維を含み、前記表面シートの長辺方向一端部および長辺方向中央部間の第１領域と、前記第１領域に対向する、前記裏面シートの長辺方向一端部および長辺方向中央部間の第２領域との間に介在される吸収体と、
伸縮性を有する糸状体であって、前記表面シートの長辺方向他端部および長辺方向中央部間の第３領域と、前記第３領域に対向する、前記裏面シートの長辺方向他端部および長辺方向中央部間の第４領域との間に、前記長辺方向に垂直な短辺方向に緊張された状態で介在され、短辺方向の各端部が、前記表面シートの縁辺部および前記裏面シートの縁辺部に接合される糸状体と、を含み、
前記表面シートおよび前記裏面シートは、各長辺方向中央部で前記裏面シートが内側となるように折返され、前記表面シートの長辺側縁辺部と前記裏面シートの長辺側縁辺部とは、互いに対向する部分が接合されていることを特徴とする男性用失禁パッド。
【請求項２】
前記表面シートの第１領域と裏面シートの第２領域との間に介在される吸収体には、長辺方向に延びる圧縮部が設けられることを特徴とする請求項１に記載の男性用失禁パッド。
【請求項３】
前記表面シートには、装着時に着衣に貼着するための貼着手段が設けられることを特徴とする請求項１または２に記載の男性用失禁パッド。
【発明の詳細な説明】
【技術分野】
【０００１】
本発明は、男性の軽失禁者のための失禁パッドであって、装着が容易であり、装着感が良好であり、装着状態で使用者の身体の動きに支障をきたすことがなく、脱落が生じにくい構造の男性用失禁パッドに関する。
【背景技術】
【０００２】
加齢や疾病などにより、排尿の制御が困難な軽失禁者の数は女性が多いため、女性用の失禁パッドが複数のメーカーから多種類の製品が開発販売されているのに対し、男性用の失禁パッド製品は、種類が少ないのが現状である。
【０００３】
従来の男性用失禁パッドとして、特許文献１に記載の排尿吸収体がある。この排尿吸収体は、切欠を有する表面シートと、不透水性の裏面シートと、表面シートと裏面シートとの間の多孔質シートおよび吸収層とを含んで構成される。また、裏面シートの外側面に、排尿吸収体を下着に貼着するための両面粘着テープが配設される。表面シートの切欠から、表面シートと多孔質シートとの間に陰茎を挿入させ、失禁が生じたときには、尿を、多孔質シートを通過させ、吸収層で吸収する。特許文献１の排尿吸収体は、吸収層を多孔質シートで覆う構成なので、蒸れが生じることがなく、装着時の不快感をなくせる効果を発揮する。
【先行技術文献】
【特許文献】
【０００４】
【特許文献１】実開平６−７４１２０号公報
【発明の概要】
【発明が解決しようとする課題】
【０００５】
特許文献１に記載の排尿吸収体は、装着の容易さ、装着状態での使用者の身体運動性、脱落の生じにくさなどの点で、改善の余地がある。
【０００６】
本発明の目的は、装着が容易であり、装着感が良好であり、装着状態での使用者の身体の運動に支障をきたすことがなく、脱落が生じにくい男性用失禁パッドを提供することである。
【課題を解決するための手段】
【０００７】
本発明に係る男性用失禁パッドは、
液不透過性および通気性を有するシート材から成る矩形の表面シートと、
液透過性および通気性を有するシート材から成る矩形の裏面シートであって、前記表面シートに積重された状態で、縁辺部が前記表面シートの縁辺部に接合される裏面シートと、
フラッフ状繊維を含み、前記表面シートの長辺方向一端部および長辺方向中央部間の第１領域と、前記第１領域に対向する、前記裏面シートの長辺方向一端部および長辺方向中央部間の第２領域との間に介在される吸収体と、
伸縮性を有する糸状体であって、前記表面シートの長辺方向他端部および長辺方向中央部間の第３領域と、前記第３領域に対向する、前記裏面シートの長辺方向他端部および長辺方向中央部間の第４領域との間に、前記長辺方向に垂直な短辺方向に緊張された状態で介在され、短辺方向の各端部が、前記表面シートの縁辺部および前記裏面シートの縁辺部に接合される糸状体と、を含み、
前記表面シートおよび前記裏面シートは、各長辺方向中央部で前記裏面シートが内側となるように折返され、前記表面シートの長辺側縁辺部と前記裏面シートの長辺側縁辺部とは、互いに対向する部分が接合されていることを特徴とする。
【０００８】
また本発明は、前記表面シートの第１領域と裏面シートの第２領域との間に介在される吸収体には、長辺方向に延びる圧縮部が設けられることを特徴とする。
【０００９】
また本発明は、前記表面シートには、装着時に着衣に貼着するための貼着手段が設けられることを特徴とする。
【発明の効果】
【００１０】
本発明に係る男性用失禁パッドは、表面シートおよび裏面シートが、各長辺方向中央部で裏面シートが内側となるように折返され、表面シートおよび裏面シートの各長辺側縁辺部が接合されるので、裏面シートどうしが対向し、中央折返し部とは反対側の端部に開口部を有する収納部が形成された、袋状の形態となる。本発明では、伸縮性の有る糸状体を緊張状態で介在させたことによって、この糸状体が、表面シートの第３領域および裏面シートの第４領域を短辺方向に収縮させるから、表面シートの第１領域および裏面シートの第２領域を、外側へ膨出するように湾曲させる。その結果、開口部および収納部は、対向する裏面シートどうしの間に空隙を有し、かつ、湾曲する内面を有する形態に保持されるので、男性用失禁パッドを装着するに際し、使用者は陰茎を、開口部を通じて収納部内へ挿入するのが容易になる。糸状体によって、短辺方向の寸法が短縮されるから、装着状態で使用者が歩行するのに支障を与えない。
【００１１】
収納部を構成する一方の裏面シートが湾曲する内面を有し、他方の裏面シートは、表面シートとの間に介在する糸状体によって縮められ、かつ伸縮性が付与されている。よって、対向する裏面シートの各内面が、挿入した陰茎の表面に沿うように接することができるから、装着時の感触が良好であり、使用者が運動しても脱落が生じにくい。
【００１２】
表面シートおよび裏面シートが通気性を有するシート材から成るので、装着時の蒸れが防止され、不快感をなくことができる。伸縮性の有る糸状体が、表面シートの第３領域および裏面シートの第４領域を短辺方向に収縮させて皺を生じさせるので、排尿した際に濡れた裏面シートが肌に密着せず、肌触り感を向上することができる。表面シートおよび裏面シートが長辺方向中央部で折返されているので、液透過性の裏面シートおよび吸収体の端面が外部に露出せず、排泄した尿が外部へ漏出するのが防止される。
【００１３】
また本発明によれば、吸収体に、長辺方向に延びる圧縮部を設けたので、圧縮部が、その周囲の圧縮されない領域に比べて毛細管現象による高い吸上げ効果を発揮するから、排尿を吸収体全体に速やかに拡散させることができる。
【００１４】
また本発明によれば、男性用失禁パッドを貼着手段によって使用者の着衣に粘着させることができるので、使用者が運動する際の姿勢や体位の変化、振動などによって、男性用失禁パッドが位置ずれを起こしたり脱落したりするのを防止することができる。
【図面の簡単な説明】
【００１５】
【図１】本発明の一実施形態に係る男性用失禁パッドＰの分解斜視図である。
【図２】本発明の一実施形態に係る男性用失禁パッドＰの正面図である。
【図３】本発明の一実施形態に係る男性用失禁パッドＰの側方から見た断面図である。
【図４】図２の切断面線ＩＶ―ＩＶにおける吸収体３の断面図である。
【図５】本発明の一実施形態に係る男性用失禁パッドＰを示すものであって、図５（Ａ）は着衣貼着側から見た正面図、図５（Ｂ）は側面図、図５（Ｃ）は平面図である。
【図６】本発明の一実施形態に係る男性用失禁パッドＰの斜視図である。
【図７】本発明の一実施形態に係る男性用失禁パッドＰの装着状態を示す正面図である。
【図８】本発明の一実施形態に係る男性用失禁パッドＰの装着状態を示す側方から見た断面図である。
【発明を実施するための形態】
【００１６】
本発明に係る男性用失禁パッドＰ（以下、「失禁パッドＰ」という）の実施形態を、図面を参照して説明する。図１〜図８は、本発明の一実施形態を示す図であって、図１は、失禁パッドＰの分解斜視図、図２は、失禁パッドＰの正面図、図３は、失禁パッドＰの側方から見た断面図、図４は、図２の切断面線ＩＶ―ＩＶにおける断面図、図５（Ａ）は着衣貼着側から見た失禁パッドＰの正面図、図５（Ｂ）は失禁パッドＰの側面図、図５（Ｃ）は失禁パッドＰの平面図、図６は、失禁パッドＰの斜視図、図７は、失禁パッドＰの装着状態を示す正面図、図８は、失禁パッドＰの装着状態を示す側方から見た断面図である。
【００１７】
失禁パッドＰは、図１に示すように、矩形の表面シート１と、表面シート１とほぼ同形同大の矩形の裏面シート２と、フラッフ状繊維から成る吸収体３と、伸縮性を有する糸状体４とを含んで成る。表面シート１は、液不透過性および通気性を有するシート材から成る。裏面シート２は、液透過性および通気性を有するシート材から成り、表面シート１に積重された状態で、縁辺部２ａが、表面シート１の縁辺部１ａに接合される。なお本例では、表面シート１の長辺方向両端部１ｂ，１ｄおよび裏面シート２の長辺方向両端部２ｂ，２ｄは、後述するフラップ部７を実現するための、一対の部分７ａ，７ｂである。
【００１８】
フラッフ状繊維を含む吸収体３は、表面シート１の長辺方向一端部１ｂおよび長辺方向中央部１ｃ間の第１領域Ａ１と、第１領域Ａ１に対向する、裏面シート２の長辺方向一端部２ｂおよび長辺方向中央部２ｃ間の第２領域Ａ２との間に介在される。吸収体３の厚みは２〜１５ｍｍの範囲に設定され、好ましくは５〜１０ｍｍである。これによって吸収体３にある程度の剛性を付与し、失禁パッドＰに保形性を与えることができる。
【００１９】
吸収体３の吸水力は、生理食塩水の吸水量が２０〜１８０ｃｃ程度に設定するのが望ましい。フラッフ状繊維とともに、吸水性ポリマーを併用すれば、吸収体３の吸水力を、さらに増大させることが可能である。
【００２０】
本例の吸収体３は、長辺方向に延びる圧縮部５が設けられる。圧縮部５は、吸収体３の表面を加圧して形成した溝状の構造である。圧縮部５を有することによって、吸収体３が液体を吸い上げる速度を増大させることができる。図４に示すように、吸収体３における非圧縮部分３ａの厚みｔ１に対し、圧縮部５の厚みｔ２を２０〜６０％に圧縮するのが好ましい。なお、圧縮部５に代えて、吸収体３に亀裂や切断箇所を形成することによっても、吸収体３の断面から直接液体を吸収して取込み、これによって吸水速度を増大させる効果を得ることができる。
【００２１】
伸縮性を有する糸状体４は、表面シート１の長辺方向他端部１ｄおよび長辺方向中央部１ｃ間の第３領域Ａ３と、第３領域Ａ３に対向する、裏面シート２の長辺方向他端部２ｄおよび長辺方向中央部２ｃ間の第４領域Ａ４との間に、長辺方向に垂直な短辺方向に沿って配置されるとともに、伸張方向に張力が付与された緊張状態で介在され、短辺方向の各端部が、表面シート１の縁辺部１ａおよび裏面シート２の縁辺部２ａとに挟まれて接合される。糸状体４に付与する張力は、緊張していない糸状体４を、１．３〜３．５倍程度まで伸張させる張力とする。
【００２２】
糸状体４の配置は、表面シート１および裏面シート２の各長辺方向中央部１ｃ、２ｃ近傍と、表面シート１および裏面シート２の各他端部１ｄ、２ｄ近傍と、長辺方向中央部１ｃ、２と他端部１ｄ、２ｄとの中間の、少なくとも３箇所とするのが望ましい。本例では、糸状体４を、長辺方向中央部１ｃ、２ｃ近傍および他端部１ｄ、２ｄ近傍とともに、長辺方向中央部１ｃ、２ｃと他端部１ｄ、２ｄとの間をほぼ等分に分割する２箇所の合計４個所に配置した。糸状体４を５個所以上に配置してもよい。また糸状体４は、１箇所に１本ずつ配置してもよいが、１箇所に複数本ずつ配置することも可能である。糸状体４の種類は、糸ゴムや平ゴムなどの弾性糸が使用可能である。
【００２３】
以下の説明において、失禁パッドＰにおける着衣Ｗに臨む側を着衣側、使用者の身体に臨む側を身体側と称する場合が有る。表面シート１の第１領域Ａ１および裏面シート２の第２領域Ａ２が着衣側に対応し、表面シート１の第３領域Ａ３および裏面シート２の第４領域Ａ４が身体側に対応する。
【００２４】
失禁パッドＰの製造は、表面シート１および裏面シート２の間の着衣側に吸収体３を配置し、表面シート１および裏面シート２の間の身体側に、張力を付与した緊張状態の糸状体４を配置し、表面シート１および裏面シート２を周縁部全体で接合して、表面シート１と裏面シート２との間に、吸収体３と糸状体４とが封入された構造とする。そして、表面シート１および裏面シート２を、裏面シート２が内側となるように中央部１ｃ，２ｃで折返し、裏面シート２の対向する長辺側縁辺部２ａどうしを接合することによって、図２，３，５，６に示す失禁パッドＰを得ることができる。表面シート１と裏面シート２の周縁部どうしの接合や、裏面シート２の長辺側縁辺部２ａ同士を接合した接合部９の形成には、たとえば熱溶着やホットメルト接着剤が用いられる。
【００２５】
表面シート１および裏面シート２の各長辺側縁辺部１ａ，２ａを接合することによって、中央部１ｃ，２ｃの折返し部８を底部とし、両端部１ｂ，１ｄ，２ｂ，２ｄ側に開口部１１を有する袋状の収納部１０が内部に形成される。また、表面シート１の端部側部分７ａと裏面シート２の端部側部分７ｂとを接合することによって、開口部１１に連なるフラップ部７が形成される。
【００２６】
失禁パッドＰは、吸収体３が配設される方の表面シート１の外側面を使用者の着衣Ｗに向け、糸状体４が配設される方の表面シート１の外側面を使用者の身体に向けて使用される。着衣側の表面シート１の外側面には、着衣に貼着するための両面粘着テープなどの貼着手段６が設けられる。
【００２７】
失禁パッドＰは、表面シート１および裏面シート２の各長辺方向中央部１ｃ，２ｃで折返され、表面シート１および裏面シート２の各長辺側縁辺部１ａ，２ａを接合して、内部に収納部１０が形成された袋状の形態である。表面シート１の第３領域Ａ３と裏面シート２の第４領域Ａ４との間に緊張状態で介在された伸縮性の有る糸状体４が、身体側部分を短辺方向に収縮させるから、着衣側である表面シート１の第１領域Ａ１および裏面シート２の第２領域Ａ２を、外側へ膨出するように湾曲させる。これによって、対向する裏面シート２どうしの間に空隙が形成され、開口部１１が半月状に開口し、収納部１０は、湾曲する内面を有する形態に保持される。また、身体側の部分は、糸状体４が短辺方向に収縮することによって襞が形成され、空気層を有する構造となる。
【００２８】
次に、図７，８を参照して、失禁パッドＰの使用状況を説明する。はじめに使用者は、失禁パッドＰを股間に配置して、陰茎を、開口部１１を通じて収納部１０内へ挿入する。本例の失禁パッドＰは、開口部１１が半月状に開口し、収納部１０は湾曲する内面を有する形態に保持されているので、陰茎を収納部１０内へ挿入するのが容易である。ついで使用者Ｍは、両面粘着テープやホットメルトなどの貼着手段６で、失禁パッドＰを着衣Ｗに貼着させる。
【００２９】
失禁パッドＰの収納部１０は、着衣側の部分が湾曲する内面を有し、身体側の部分は糸状体４によって伸縮性が付与されている。よって、対向する裏面シート２の各内面が伸縮性を有し、挿入した陰茎の表面に弱い弾発力を与えるように接するから、使用者が運動しても脱落が生じにくく、かつ装着時の安定感が高い。
【００３０】
また、糸状体４が収縮することによって、失禁パッドＰの幅方向の寸法が小さくなる。したがって、失禁パッドＰを股間に装着した状態で、使用者が歩行する際の両脚の運動に支障を与えない。また、貼着手段６で着衣Ｗに貼着されるから、使用者Ｍが運動して姿勢や体位を変化させたり振動を受けたりしても、失禁パッドＰが位置ずれを起こしたり使用者の身体から脱落したりするのが防止される。さらに、フラップ部７によって、失禁パッドＰの縁部が使用者Ｍの身体に当接するのを防止する。
【００３１】
使用者が、失禁パッドＰ内で排尿した場合、尿は液透過性を有する裏面シート２を通過して、吸収体３によって吸収される。本例では、吸収体３を湾曲させているので、尿との接触が確実である。吸収体３に、長辺方向に延びる圧縮部５を設けたので、圧縮部５が、その周囲の圧縮されない領域に比べて毛細管現象による高い吸上げ効果を発揮して、排尿を吸収体３全体に速やかに拡散させることができる。伸縮性の有る糸状体４が、身体側の部分を短辺方向に収縮させて襞を生じさせるので、排尿した際に濡れた裏面シート２が肌に密着せず、肌触り感が向上する。表面シート１の身体側表面は、多数の襞を有することによって、皮膚表面との間に空気層を形成して、放熱性、透湿性を向上させるから、衛生状態を良好に保ち、装着時の快適性が得られる。
【００３２】
液不透過性の表面シート１を長辺方向中央部１ｃで折返し、長辺側縁辺部１ａを接合して、裏面シート２および吸収体３の端面を外部に露出させない構造としたから、排尿が外部へ漏出するのが防止される。表面シート１および裏面シート２がいずれも通気性を有するシート材から成るので、装着時の蒸れが防止され、不快感をなくせる。
【００３３】
このように、本例の失禁パッドＰは、装着が容易であり、装着状態が安定であり、使用者の自由な運動を妨げることがなく、良好な装着感を使用者に与える効果を発揮する。
【００３４】
（その他の実施形態）
前記実施形態では、吸収体３を、失禁パッドＰの着衣側に配置したが、身体側にも配置して、吸水能力を増大させてもよい。
【符号の説明】
【００３５】
Ｐ  失禁パッド
１  表面シート
２  裏面シート
３  吸収体
４  糸状体
５  圧縮部
６  貼着手段
７  フラップ部
８  折り返し部
９  接合部
１０  収納部
１１  開口部
【図１】
2015062576.tif 000003
【図２】
2015062576.tif 000004
【図３】
2015062576.tif 000005
【図４】
2015062576.tif 000006
【図５】
2015062576.tif 000007
【図６】
2015062576.tif 000008
【図７】
2015062576.tif 000009
【図８】
2015062576.tif 000010